(57)【要約】      （修正有）【課題】遠隔制御器と空気調和機とを渡り配線等で接続しても実際のグループ構成等を反映することができるような集中制御システムを得る。【解決手段】空気調和装置を構成する複数の空気調和機と、伝送線４を介して接続し、複数の空気調和機と信号通信する集中制御装置１と、渡り配線等を介して空気調和機と接続し、制御対象となる空気調和機との信号通信により操作指令を行う遠隔制御器とを備え、集中制御装置１は、遠隔制御器と、その制御対象である空気調和機との関係を、設定による登録処理に基づいて得られるグループ設定のデータを記憶する集中記憶手段と、各空気調和機の機器アドレスのデータ及び各空気調和機を制御する遠隔制御器の機器アドレスのデータに基づいて得られるグループ構成のデータと、グループ設定のデータとを比較照合処理する集中制御処理手段とを有する。【選択図】図１
2009097829.tif 000002
【特許請求の範囲】
【請求項１】
空気調和装置を構成する複数の空気調和機と、
前記複数の空気調和機と伝送線を介して接続し、前記複数の空気調和機との信号通信により前記複数の空気調和機を集中管理する集中制御装置と、
指示対象となる１又は複数の前記空気調和機と、前記伝送線とは別系統の渡り配線又は接続配線を介して接続し、前記制御対象となる１又は複数の空気調和機との信号通信により制御を行う１又は複数の遠隔制御器と
を備える空気調和装置の集中制御システムにおいて、
前記集中制御装置は、
前記１又は複数の遠隔制御器と、各遠隔制御器の制御対象である１又は複数の前記空気調和機との関係を、設定による登録処理に基づいて得られるグループ設定のデータを記憶する集中記憶手段と、
前記複数の空気調和機からの信号に含まれる、各空気調和機の機器アドレスのデータ及び各空気調和機を制御する前記遠隔制御器の機器アドレスのデータに基づいて得られるグループ構成のデータと、前記集中記憶手段に記憶された前記グループ設定のデータとを比較照合処理する集中制御処理手段と
を有することを特徴とする空気調和装置の集中制御システム。
【請求項２】
前記集中制御処理手段の判断に基づいて、前記誤設定又は前記誤配線の旨を表示する集中表示手段をさらに備えることを特徴とする請求項１に記載の空気調和装置の集中制御システム。
【請求項３】
前記集中制御処理手段は、前記グループ設定のデータがあらかじめ前記集中記憶手段に記憶されていないと判断すると、前記グループ構成のデータに基づいて登録処理を行い、得られたデータを前記集中記憶手段に記憶することを特徴とする請求項１又は２に記載の空気調和装置の集中制御システム。
【請求項４】
前記集中制御装置は、前記伝送線を介して前記各空気調和機に、前記各空気調和機の機器アドレスのデータ及び前記各空気調和機を制御する前記遠隔制御器の機器アドレスのデータを含む信号を送信させることを特徴とする請求項１〜３のいずれかに記載の空気調和装置の集中制御システム。
【請求項５】
前記遠隔制御器は、前記制御対象となる１又は複数の空気調和機の機器アドレスに基づいて、機器アドレスを決定することを特徴とする請求項１〜４のいずれかに記載の空気調和装置の集中制御システム。
【請求項６】
前記遠隔制御器は、あらかじめ固有識別情報を有しており、
集中制御処理手段は、前記遠隔制御器の前記機器アドレスのデータに代えて、前記遠隔制御器の前記固有識別情報のデータに基づいて得られるグループ構成のデータと前記グループ設定のデータとを比較照合処理することを特徴とする請求項１〜４のいずれかに記載の空気調和装置の集中制御システム。
【請求項７】
前記集中制御処理手段は、前記遠隔制御器から前記制御対象となる１又は複数の空気調和機に送信した制御指令のデータを含む信号に基づいて、前記遠隔制御器の制御対象である１又は複数の前記空気調和機として関係付けられていない前記空気調和機を判断し、前記関係づけられていない空気調和機には、前記伝送線を介して、前記制御指令のデータを含む信号を送信することを特徴とする請求項１〜６のいずれかに記載の空気調和装置の集中制御システム。
【発明の詳細な説明】
【技術分野】
【０００１】
この発明は、複数台の空気調和機及び遠隔制御器の状態等を集中的に管理する集中制御装置を有する空気調和装置の集中制御システムに関するものである。特に空気調和機のグループ登録に係るものである。
【背景技術】
【０００２】
例えば、ビル等の建築物において、室内に設けられ、室内を指示された温度に調整するための複数の室内機と、室外に設けられ排熱等を行う１又は複数の室外機とを、集中制御システムで管理するように構成した空気調和装置がある。このとき、室外機、室内機、集中管理装置等の間を伝送線で接続して通信ネットワークを構成し、例えば、（運転オン／オフ信号、設定温度差、運転モード）等の制御用データを含む各種信号を各機器、装置が伝送し、通信を行っている。
【０００３】
また、室外機と室内機が接続された伝送線に、さらに遠隔制御器を接続することができる。そして、例えば同じ遠隔制御器からの制御指令（指示）を受け、制御される室内機を同一グループとして構成することもできる。ここで、遠隔制御器にあらかじめ機器アドレスの設定を行っている場合には、グループ（群）による制御を行う室内機を、実際の構成から集中制御装置が自動的に判断し、グループ登録の設定（群編成。以下、グループ設定という）を行うことができる（例えば特許文献１参照）。
【特許文献１】特開平１１−２３０６０３号公報
【発明の開示】
【発明が解決しようとする課題】
【０００４】
上記のように、空気調和装置では、室外機と室内機が接続された伝送線上に遠隔制御器を接続することができる。ここで、一般的に、伝送線上の機器は、伝送線を伝送するすべての信号を受信し、処理すべきかどうかを判断することになる。そのため、遠隔制御器にかかる通信負荷（伝送路上を伝送する信号量）も室外機、室内機と同じように大きくなる。したがって、通信負荷を処理できるだけの通信処理手段を設けなければならず、遠隔制御器一個当りの単価も高価なものとなっていた。
【０００５】
そこで、複数の空気調和機からなる空気調和装置において、拡張やグループ登録の変更等が少ない場合には、遠隔制御器と複数の空気調和機とを、伝送線とは別系統の伝送線である渡り配線等で接続することができる。そして、例えば渡り配線等により、ある遠隔制御器と接続した１又は複数の室内機を同一グループとする。このように別系統の伝送線を用いることで、遠隔制御器の通信負荷を抑え、通信処理手段を安価にすることができるため、渡り配線を用いた通信は広く利用されている。また、同一グループの空気調和機を渡り配線等で接続し、制御指令のデータ等を含む信号を送信等できれば遠隔制御器自身に機器アドレスを設定しなくてもよい。
【０００６】
しかしながら、渡り配線等による接続を行った場合、渡り配線等が伝送線に直接接続されていないため、集中制御装置が遠隔制御器と空気調和機の間の渡り配線等の接続状況を把握することができない。例えば集中制御装置では、操作者等の入力によりグループ設定を行うことができるが、これは実際の配線接続状況に基づくものではない。そのため、例えば施工現場での複数の空気調和機及び遠隔制御器の据付工事、試運転作業時等に渡り配線の誤配線があった場合、誤配線を見逃したり、誤配線場所を特定するのに多大な時間と労力がかかるという問題点があった。また、渡り配線等によってグループ等を決定した場合には、設定後等に、例えば間仕切り等によりグループが変更した場合には、不便である。
【０００７】
この発明は、上記のような課題を解決するためになされたもので、遠隔制御器と空気調和機とを渡り配線等で接続した通信ネットワークを構築した場合でも、実際のグループ構成等を、集中制御装置におけるグループ設定に反映することができるような集中制御システムを得るものである。
【課題を解決するための手段】
【０００８】
この発明に係る空気調和機の集中制御システムは、空気調和装置を構成する複数の空気調和機と、複数の空気調和機と伝送線を介して接続し、複数の空気調和機との信号通信により複数の空気調和機を集中管理する集中制御装置と、制御対象となる１又は複数の空気調和機と、伝送線とは別系統の渡り配線又は接続配線を介して接続し、制御対象となる１又は複数の空気調和機との信号通信により制御を行う１又は複数の遠隔制御器とを備える空気調和装置の集中制御システムにおいて、集中制御装置は、１又は複数の遠隔制御器と、各遠隔制御器の制御対象である１又は複数の空気調和機との関係を、設定による登録処理に基づいて得られるグループ設定のデータを記憶する集中記憶手段と、複数の空気調和機からの信号に含まれる、各空気調和機の機器アドレスのデータ及び各空気調和機を制御する遠隔制御器の機器アドレスのデータに基づいて得られるグループ構成のデータと、集中記憶手段に記憶されたグループ設定のデータとを比較照合処理する集中制御処理手段とを有する。
【発明の効果】
【０００９】
本発明によれば、集中制御装置において、集中制御処理手段が、あらかじめ設定されて集中記憶手段に記憶しているグループ設定のデータと、各空気調和機から送信された信号に含まれるグループ構成のデータとを、比較照合処理するようにしたので、例えば、設定によるグループと実際のグループとの比較により、誤設定、誤配線を判断することができる。例えば、渡り配線の誤配線を容易に見つけることができ、誤配線を見逃したり、誤配線箇所を特定するのに多大な時間と労力がかかるという問題点を解決し、迅速な現地対応が可能となる。また、誤設定の場合には、グループ構成のデータに基づいて訂正を行うことができる。
【発明を実施するための最良の形態】
【００１０】
実施の形態１．
図１はこの発明の実施の形態１における空気調和装置の集中制御システムの構成を示す図である。ここで、集中制御システムは、空気調和装置における通信系統におけるシステムである。図１のように、実施の形態１においては、集中制御装置１、複数台の空気調和機２Ａ〜２Ｆ及び複数台の遠隔制御器３Ａ〜３Ｃを伝送線４、渡り配線５Ａ、５Ｂ、接続配線６で接続し、集中制御システムを構成するものとする。以下、空気調和機２Ａ〜２Ｆ、遠隔制御器３Ａ〜３Ｃ、渡り配線５Ａ、５Ｂを特に区別、強調等をする必要がない場合には空気調和機２、遠隔制御器３、渡り配線５として説明する。
【００１１】
図２は集中制御装置１の構成例を表す図である。本実施の形態では、集中制御処理手段１０、集中記憶手段１１、集中通信手段１２、集中表示手段１３、集中入力手段１４で集中制御装置１を構成する。集中制御装置１は、空気調和機２Ａ〜２Ｆとの間で、伝送線４を介して各種データを含む信号の通信を行い、そのデータに基づく処理を行って空気調和装置の動作について集中制御を行う。ここで、本実施の形態においては、空気調和機２Ａ〜２Ｆから送信される信号に含まれるデータに基づいて、空気調和機２Ａ〜２Ｆと遠隔制御器３Ａ〜３Ｃとのグループ関係を判断し、その判断に基づく処理を行う。なお、ここでは特に示していないが、例えば、公衆電気通信回線を利用して空気調和装置外部との装置（図示せず）とも通信を行うこともできる。
【００１２】
集中制御処理手段１０は、例えばマイクロコンピュータで構成され、入力されるデータに基づいて、集中制御装置１を構成する各手段の動作を制御し、空気調和装置全体の動作制御も行う。特に本実施の形態においては、制御処理手段１０は、比較照合処理部１０Ａを有している。そして、例えば集中入力手段１４を介してあらかじめ入力設定により登録処理がなされ、集中記憶手段１１に記憶された空気調和機２Ａ〜２Ｆ、遠隔制御器３Ａ〜３Ｃのグループ設定のデータと、空気調和機２Ａ〜２Ｆとの通信によって得られたグループ構成のデータとの比較照合処理を行う。
【００１３】
集中記憶手段１１は、空気調和機２の運転状態をはじめとする空気調和装置全体の情報等、また、集中制御装置１の各手段が処理を行うためのデータ、処理により生成されたデータ等の各種データを一時的又は長期的に記憶する。特に本実施の形態では、登録処理に係る空気調和機２Ａ〜２Ｆ、遠隔制御器３Ａ〜３Ｃの間のグループ関係をデータとして記憶する。ここで、集中入力手段１４を介した操作者等の設定により登録処理し、記憶したデータがグループ設定のデータ（グループ番号、遠隔制御器３、空気調和機２の機器アドレス等からなる）となる。
【００１４】
集中通信手段１２は、伝送線４と接続され、伝送線４、伝送線４と接続した空気調和機２と集中制御処理手段１０との間における信号通信のインターフェースとなる。以下、集中制御処理手段１０と伝送線４（空気調和機２）との間の各種データを含む信号の通信は、集中通信手段１２を介して行うものとして説明する。
【００１５】
図３は集中制御装置１の外観例を表す図である。集中表示手段１３は、集中制御処理手段１０から送信される表示信号に基づいて、操作者（オペレータ）等に対する表示を行う。また、集中入力手段１４は、例えばテンキー（スイッチ）等を有するキー入力部１４Ａを備え、操作者等が入力する指示、グループ設定等のデータを入力信号として集中制御処理手段１０に送信する。
【００１６】
空気調和機２Ａ〜２Ｆは実際に空調対象空間の空気調和を行うための装置である。空気調和装置においては、圧縮機と熱源側熱交換器とを有する室外機（熱源機、熱源側ユニット）と膨張弁と負荷側熱交換器とを有する室内機（負荷側ユニット）とを配管接続して、室外機と室内機との冷媒を循環させる。そして、負荷側熱交換器において冷媒の蒸発又は凝縮させ、対象空間の空気調和を行う。ここで、空気調和装置を構成する室外機と室内機とを含めて空気調和機２Ａ〜２Ｆとし、グループ化することもできるが、本実施の形態の空気調和機２Ａ〜２Ｆは室内機であるものとして以下の説明を行うものとする。
【００１７】
図４は空気調和機２の構成例を表す図である。空調機制御処理手段２０、空調機記憶手段２１、空調機通信手段２２、空調機熱交換器２３、空調機ファン２４及び空調機膨張弁２５により空気調和機２を構成する。
【００１８】
空調機制御処理手段２０は、例えばマイクロコンピュータで構成され、入力されるデータに基づいて、空気調和機２を構成する各手段の動作を制御する。例えば、空調機通信手段２２が受信した信号に含まれる遠隔制御器３からの空調機制御指令データに基づいて、空調機膨張弁２５の弁の開度を調整させる。特に本実施の形態では、集中制御装置１、遠隔制御器３からの信号に含まれるデータに基づいて、機器アドレスのデータに係る処理を行う。
【００１９】
空調機記憶手段２１は、空気調和機２の各手段が処理を行うためのデータ、処理により生成されたデータ等の各種データを一時的又は長期的に記憶する。特に本実施の形態では、自身に付された機器アドレスのデータ及び渡り配線５又は接続配線６により接続した遠隔制御器３が決定した機器アドレスのデータを記憶する。
【００２０】
空調機通信手段２２は、さらに遠隔制御器側通信部２２Ａと集中制御装置側通信部２２Ｂとからなる。遠隔制御器側通信部２２Ａは、渡り配線５又は接続配線６と接続され、遠隔制御器３と空調機制御処理手段２０との間における信号通信のインターフェースとなる。また、集中制御装置側通信部２２Ｂは、伝送線４と接続され、集中制御装置１と空調機制御処理手段２０との間における信号通信のインターフェースとなる。
【００２１】
空調機熱交換器２３は、熱交換器内を通過する冷媒と空気との熱交換を行う。空調機ファン２４は、空調機熱交換器２３に空気を送り熱交換させ、さらに熱交換された空気を室内に送り込む。空調機膨張弁２５は、空調機制御処理手段２０の指示に基づいて、弁の開度を調整し、冷媒の流量を制御する。これにより、空調機熱交換器２３を通過する冷媒量を制御し、空調機熱交換器２３における冷媒の蒸発等を調整する。
【００２２】
図５は遠隔制御器（リモートコントローラ）３の構成例を表す図である。遠隔制御器３は、例えば操作者等が入力した運転又は停止、設定温度、冷暖房の運転モード等の操作指令のデータを含む信号を、渡り配線５、接続配線６で接続した空気調和機２に送信する。また、空気調和機２の運転状態等のデータを含む信号を受信し、表示等を行う。ここで、遠隔制御器３の操作指令等を受ける空気調和機２について、複数台の空気調和機２をグループとしている場合には、それぞれの空気調和機２と遠隔制御器３とを渡り配線５で接続し、渡り配線５を介して信号の通信を行う。また、空気調和機２と遠隔制御器３とが１対１の場合（グループとする空気調和機２が１台の場合）は、接続配線６のみで接続し、通信を行う。遠隔制御器３は、伝送線４に直接接続していないので、集中制御装置１との間は、空気調和機２を介して、例えば空調機制御指令データを含む信号の送信等、間接的に通信を行うことができる。
【００２３】
本実施の形態では、図５に示すように、遠隔制御処理手段３０、遠隔記憶手段３１、遠隔通信手段３２、遠隔表示手段３３、遠隔入力手段３４で遠隔制御装置３を構成する。遠隔制御処理手段３０は、例えばマイクロコンピュータで構成され、入力されるデータに基づいて、遠隔制御装置３を構成する各手段の動作を制御する。本実施の形態においては、特に渡り配線５、接続配線６により接続された空気調和装置２との間で通信処理を行い、これらの空気調和装置２から送信された機器アドレスのデータに基づいて、自身の機器アドレスを決定する処理等を行う。
【００２４】
遠隔記憶手段３１は、遠隔制御装置３の各手段が処理を行うためのデータ、処理により生成されたデータ等の各種データを一時的又は長期的に記憶する。特に本実施の形態では、遠隔制御処理手段３０が決定した機器アドレスのデータを記憶する。
【００２５】
遠隔通信手段３２は、渡り配線５又は接続配線６と接続され、これらの配線、その配線と接続した空気調和機２と遠隔制御処理手段３０との間における信号通信のインターフェースとなる。以下、遠隔制御処理手段３０と渡り配線５又は接続配線６（空気調和機２Ａ〜２Ｆ）との間の各種データを含む信号の通信は、遠隔通信手段３２を介して行うものとして説明する。
【００２６】
遠隔表示手段３３は、遠隔制御処理手段３０から送信される表示信号に基づいて、操作者等に対する表示を行う。また、遠隔入力手段３４は、操作者等が入力する指示、設定等のデータを入力信号として遠隔制御処理手段３０に送信する。
【００２７】
伝送線４は集中制御装置１と各空気調和機２とを接続する無極性二芯線からなる伝送線である。また、渡り配線５、接続配線６は、遠隔制御器３と空気調和機２とを接続する無極性二芯線からなる伝送線である。本実施の形態では、同じ渡り配線５、接続配線６で接続され、同じ遠隔制御器３による操作指令等を受ける空気調和機２をグループとする。例えば、図１においては、空気調和機２Ａ及び２Ｂが遠隔制御器３Ａの操作指令等を受けるグループをなしている。また、空気調和機２Ｃは１台で遠隔制御器３Ｂの操作指令等を受けるグループをなしている。さらに空気調和機２Ｄ、２Ｅ及び２Ｆが遠隔制御器３Ｃの操作指令等を受けるグループをなしている。
【００２８】
ここで、例えば集中制御システム内において、空気調和装置を構成する各機器は、機器アドレス等固有の番号が付されて区別されることとなる。各機器が通信を行う際には、信号送信先、送信元の機器アドレスのデータを含めた信号を送信する。ここで、機器アドレスについて、集中制御装置１は「０００」が付される。また、空気調和装置２Ａ〜２Ｆについては、それぞれ「００１」、「００２」、「００３」、「００４」、「００５」、「００６」が付される。この機器アドレスの付与については、例えば空気調和装置２に設けられたディップスイッチ等（図示せず）により設定される。また、遠隔制御器３Ａ〜３Ｃについては、それぞれ「１０１」、「１０３」、「１０４」が付される。遠隔制御器３Ａ〜３Ｃは、遠隔制御器３Ａ〜３Ｃにおける機器アドレスの決定方法については、後に詳述する。
【００２９】
図６は実施の形態１に係る集中制御システムにおけるグループ設定等に係る処理の流れを表すシーケンス図である。次に図６に基づいて実施の形態１に係る処理動作について説明する。ここで、集中制御装置１の集中記憶手段１１は、前述したように、例えばあらかじめ集中入力手段１４を介して設定されたグループ設定データを記憶している。
【００３０】
例えば、各遠隔制御器３を設置した後、各遠隔制御器３の遠隔入力手段３４を介して、操作者等が、接続した空気調和装置２の機器アドレス確認の指示を入力する。各遠隔制御器３の遠隔制御処理手段３０は、その指示に基づいて、機器アドレス確認用の通信データを含む信号を、渡り配線５又は接続配線６を介して接続された全ての空気調和機２に一斉に送信する。例えば、図１においては、遠隔制御器３Ａは、渡り配線５Ａを介して空気調和機２Ａ及び２Ｂに送信する。また、遠隔制御器３Ｂは接続配線６を介して空気調和機２Ｃに送信する。そして、遠隔制御器３Ｃは、渡り配線５Ｂを介して空気調和機２Ｄ、２Ｅ及び２Ｆに送信する。
【００３１】
図７は遠隔制御器３と空気調和機２との関係と、各遠隔制御器３が決定する機器アドレスとの関係を表す図である。各空気調和機２の空調機制御処理手段２０は、機器アドレス確認用の通信データに基づいて、空調機記憶手段２１に記憶している機器アドレスのデータを含む信号を、渡り配線５又は接続配線６を介して接続された遠隔制御器３に送信する。各遠隔制御器３の遠隔制御処理手段３０は、各空気調和機２からの送信に係る１又は複数の機器アドレスのデータに基づいて、その中から最小値となる機器アドレスを判断する。そして、その値に１００を加算した値を、遠隔制御器３（自身）の機器アドレスとして決定し、決定した機器アドレスのデータを遠隔記憶手段３１に記憶する（図７（１））。
【００３２】
そして、各遠隔制御器３は、決定した遠隔制御器３の機器アドレスのデータを含む信号を渡り配線５又は接続配線６を介して一斉に送信する。各空気調和機２の空調機制御処理手段２０は、遠隔制御器３からの送信に係る遠隔制御器３の機器アドレスのデータを空調記憶手段２２に記憶する（図７（２））。
【００３３】
その後、集中制御装置１は、存在確認用の通信データを含む信号を伝送線４を介して、すべての空気調和機２に一斉送信する。各空気調和機２の空調機制御処理手段２０は、存在確認用の通信データに基づいて、自身の機器アドレスのデータ及び操作指令等を受ける遠隔制御器３の機器アドレスのデータを含む信号を集中制御装置１に送信する。
【００３４】
図８は集中制御装置１の集中制御処理手段１０（比較照合処理部１０Ａ）が行う比較照合処理のフローチャートを表す図である。集中制御装置１の集中制御処理手段１０は、各空気調和機２からの送信に係るデータ（グループ構成のデータ）に基づいて、あらかじめ集中記憶手段１１に記憶しているグループ設定のデータとの比較照合処理を行う（図７（３））。
【００３５】
まず、操作指令等を受ける遠隔制御器３が同一である空気調和機２が存在するかどうかを、各空気調和機２からの送信に係る遠隔制御器３の機器アドレスのデータに基づいて判断する（Ｓ１）。そして、遠隔制御器３の機器アドレスが同じすべての空気調和機２を同一のグループとして認識し、その機器アドレスをグループ化する処理を行う（Ｓ２）。ここで、空気調和機２と遠隔制御器３とが１対１の関係の場合（ある遠隔制御器３の機器アドレスに対して、空気調和機２が１台であった場合）には、その１台の空気調和機２における機器アドレスをグループ化する。そして、Ｓ１、Ｓ２の処理を、遠隔制御器３が同一となる空気調和機２が存在しなくなるまで繰り返す。これにより、実際の配線状況に基づくグループ構成のデータが得られる。
【００３６】
次に、集中制御処理手段１０は、グループ構成のデータと集中記憶手段１１に記憶しているグループ設定のデータとを比較し、グループの構成が一致するかどうかを判断する（Ｓ３）。一致した場合には比較照合処理を終了する。
【００３７】
一方、グループ構成のデータとグループ設定のデータとが一致しないと判断した場合には、施工時の渡り配線５の誤配線か、入力設定する際の誤設定のいずれかの可能性がある。そこで、集中制御処理手段１０は、集中表示手段１３に表示信号を送信して誤配線か誤設定かの選択画面を表示させ（Ｓ４）、誤配線か誤設定かを操作者等に選択させる（Ｓ５）。
【００３８】
操作者等が誤配線である旨を選択したと判断すると、集中制御処理手段１０は、接続関係の過不足等、一致しなかった空気調和機２を機器アドレスのデータに基づいて判断し、例えば、発音手段（図示せず）による音、例えば、遠隔器表示手段３３、集中表示手段１３等による表示等により警報を発し、誤配線となっている箇所を現地作業者に教示して（Ｓ６）、終了する。一方、操作者等が入力設定の誤設定である旨を選択したと判断すると、グループ構成のデータを集中記憶手段１１に記憶し、グループ関係のデータの訂正を自動的に行う登録処理を行い（Ｓ７）、終了する。操作者等は、配線接続から再構築したグループ構成を設計図と比較することで誤配線の検知も可能となる。
【００３９】
以上のように、実施の形態１の集中制御システムによれば、集中制御装置１において、あらかじめ設定され、集中記憶手段１１に記憶しているグループ設定のデータと、配線状況に基づいて各空気調和機２から送信された信号に含まれるグループ構成のデータとを、集中制御処理手段１０が比較照合処理し、一致しないと判断すると、集中表示手段１３に誤配線か誤設定かの選択画面を表示させ、選択させるようにしたので、例えば、施工時における渡り配線５の誤配線の場合には警報による教示を行うことができ、誤配線箇所を現地作業者にその場で知らせることが可能である。そのため、誤配線を見逃したり、誤配線箇所を特定するのに多大な時間と労力がかかるという問題点を解決し、迅速な現地対応が可能となる。また、グループ設定入力時の誤設定と判断した場合には、実際の配線状況に基づくグループ構成のデータにより自動的に訂正することができる。そのため、誤設定による意図しない空気調和機２の動作（誤作動等）を防止することができる。
【００４０】
また、本実施の形態の集中制御システムによれば、遠隔制御器３において、遠隔制御処理手段３０が、各空気調和機２からの送信に係る１又は複数の機器アドレスの中の最小値に１００を加算した値を、遠隔制御器３の機器アドレスとして決定するようにしたので、遠隔制御器３の設置時において、規則に応じた機器アドレスの決定を行うことができる。
【００４１】
実施の形態２．
前述した実施の形態１では、集中制御装置１の集中記憶手段１１にはグループ設定のデータがあらかじめ記憶されていた。そして、空気調和機２からの送信に係るグループ構成のデータとグループ設定のデータとを比較照合処理を行うことで、例えば誤設定があった場合にはグループ構成のデータに訂正するようにしていた。本実施の形態では、集中記憶手段１１にグループ設定のデータがあらかじめ記憶されていない場合に、グループ構成のデータに基づいて、集中記憶手段１１にデータを自動的に登録しようとするものである。
【００４２】
図９は本発明の実施の形態２に係る自動登録処理のフローチャートを表す図である。例えば、図６のように、各空気調和機２の空調機制御処理手段２０は、存在確認用の通信データに基づいて、自身の機器アドレスのデータ及び操作指令等を受ける遠隔制御器３の機器アドレスのデータを含む信号を集中制御装置１に送信する。
【００４３】
集中制御装置１の集中制御処理手段１０は、集中記憶手段１１にグループ設定のデータが記憶されているかどうかを判断する（Ｓ１１）。記憶されていると判断すると、実施の形態１と同様に、集中制御処理手段１０は比較照合処理を行う（Ｓ１２）。
【００４４】
図１０は遠隔制御器３の機器アドレス、グループ番号及びグループ化した空気調和機２の機器アドレスの関係を表す図である。グループ設定のデータが記憶されていないと判断すると、各遠隔制御器３の機器アドレスのデータが表す数値から１００を引き（Ｓ１３）、その数値を各遠隔制御器３に係るグループ番号として決定する（Ｓ１４）。そして、各遠隔制御器３の機器アドレスのデータ、グループ番号のデータ及びそのグループの空気調和機２の機器アドレスのデータを関連付けて、集中記憶手段１１にそれらのデータを記憶し（Ｓ１５）、終了する。
【００４５】
以上のように実施の形態２によれば、集中記憶手段１１にグループ設定のデータが記憶されていない場合に、各空気調和機２から送信された信号に含まれるグループ構成のデータに基づいてグループ番号を決定し、関連付けたデータを集中記憶手段１１に記憶するようにしたので、操作者等が例えば集中入力手段１４を介して手動で入力設定していたグループ設定のデータを自動的に集中記憶手段１１に記憶することができ、入力負荷を軽減することができる。
【００４６】
実施の形態３．
図１１は本発明の実施の形態３におけるグループ関係のデータの登録に係る処理の流れを表すシーケンス図である。前述した実施の形態１では、各遠隔制御器３側を起点とし、全ての空気調和機２に対して、機器アドレス確認用の通信データを含む信号の送信を行った。これにより、最終的には集中制御装置１が空気調和機２及び遠隔制御器３の機器アドレスのデータを取得したが、本実施の形態では、集中制御装置１側を起点として、空気調和機２及び遠隔制御器３の機器アドレスを取得する手順について説明する（図１１（１））。
【００４７】
集中制御装置１の集中制御処理手段１０は、伝送線４を介してすべての空気調和機２Ａ〜２Ｆに機器アドレス確認用の通信データを含む信号を一斉に送信する。各空気調和機２の空調機制御処理手段２０は、機器アドレス確認用の通信データに基づいて、空調機記憶手段２１に記憶している機器アドレスのデータを含む信号を、渡り配線５又は接続配線６を介して接続された遠隔制御器３に送信する。
【００４８】
各遠隔制御器３の遠隔制御処理手段３０は、各空気調和機２からの送信に係る１又は複数の機器アドレスのデータに基づいて、その中から最小値となる機器アドレスを判断する。そして、その値に１００を加算した値を、遠隔制御器３（自身）の機器アドレスとして決定し、決定した機器アドレスのデータを遠隔記憶手段３１に記憶する（図１１（２））。
【００４９】
そして、各遠隔制御器３は、決定した遠隔制御器３の機器アドレスのデータを含む信号を渡り配線５又は接続配線６を介して一斉に送信する。各空気調和機２の空調機制御処理手段２０は、遠隔制御器３からの送信に係る遠隔制御器３の機器アドレスのデータを空調記憶手段２２に記憶する。
【００５０】
その後、各空気調和機２の空調機制御処理手段２０は、自身の機器アドレスのデータ及び操作指令等を受ける遠隔制御器３の機器アドレスのデータを含む信号を集中制御装置１に送信する。集中制御装置１の集中制御処理手段１０は比較照合処理を行う（図１１（３））。この比較照合処理については、実施の形態１で説明したことと同様であるため、説明を省略する。
【００５１】
以上のように、実施の形態３によれば、集中制御装置１側から機器アドレス確認用の通信データを含む信号を送信し、集中制御装置１を起点として、処理が行われるようにしたので、例えば試運転などの作業時において遠隔制御器３の操作を行うことなく、グループに係る処理を行うことができる。
【００５２】
実施の形態４．
図１２は本発明の実施の形態４におけるグループ関係のデータの登録に係る処理の流れを表すシーケンス図である。前述した実施の形態１、３では、各遠隔制御器３の遠隔制御処理手段３０は、各空気調和機２からの送信に係る１又は複数の機器アドレスのデータに基づいて、遠隔制御器３（自身）の機器アドレスを決定した。本実施の形態では、遠隔制御器３に、あらかじめ固有識別情報を定めておき、そのデータを遠隔記憶手段３１に記憶している。そして、各空気調和機２側から固有識別情報確認用の通信データを含む信号を送信し、遠隔制御器３に固有識別情報のデータを含む信号の送信を要求するものである。ここで、固有識別情報のデータを、遠隔制御器３の機器アドレスのデータとして適用することができる。
【００５３】
例えば、各遠隔制御器３を設置した後、遠隔入力手段３４を介して、操作者等が、各遠隔制御器３に対して、固有識別情報のデータを入力する。各遠隔制御器３の遠隔制御処理手段３０は、その固有識別情報のデータを各遠隔記憶手段３１に記憶する（図１２（１））。ここでは、操作者等がデータを入力するようにしているが、例えば、製造時にあらかじめ定められるようにしてもよい。
【００５４】
そして、各空気調和機２の空調機制御処理手段２０は、例えば操作者等の指示に基づいて、固有識別情報確認用の通信データを含む信号を、渡り配線５又は接続配線６を介して接続された遠隔制御器３に送信する。各遠隔制御器３の遠隔制御処理手段３０は、固有識別情報確認用の通信データに基づいて、遠隔記憶手段３１に記憶している機器アドレスのデータを渡り配線５又は接続配線６を介して接続された全ての空気調和機２に一斉に送信する。各空気調和機２の空調機制御処理手段２０は、遠隔制御器３からの送信に係る遠隔制御器３の固有識別情報のデータを空調記憶手段２２に記憶する（図１２（１））。
【００５５】
その後、各空気調和機２の空調機制御処理手段２０は、自身の機器アドレスのデータ及び空調記憶手段２２に記憶した制御指令等を受ける遠隔制御器３の固有識別情報のデータを含む信号を集中制御装置１に送信する。集中制御装置１の集中制御処理手段１０は比較照合処理を行う（図１２（３））。この比較照合処理については、実施の形態１で説明したことと同様であるため、説明を省略する。
【００５６】
以上のように実施の形態４によれば、遠隔制御器３の遠隔記憶手段３１にあらかじめ定めた固有識別情報のデータを記憶しておくようにしたので、遠隔制御器３が機器アドレスを決定するために空気調和機２から機器アドレスのデータを含む信号を送信する必要がなく、遠隔制御器３と空気調和機２との間における通信負荷および遠隔制御器３（自身）の機器アドレスを決定するための処理負荷を軽減させることが可能となる。
【００５７】
実施の形態５．
図１３は本発明の実施の形態５におけるグループ関係のデータの登録に係る処理の流れを表すシーケンス図である。例えば、間仕切りの変更等により、設定したグループ構成の変更を行う場合がある。このとき、渡り配線等の接続によりグループを構成していれば、渡り配線の変更をする必要がある。実施の形態５では、渡り配線を変更することなく、グループ構成の変更を行う手順について説明する。ここで、例えば、前述の実施の形態１〜４における処理が行われることで、集中制御装置１の集中記憶手段１１は、あらかじめグループ関係のデータを記憶しているものとする。
【００５８】
例えば、遠隔制御器３の遠隔制御処理手段３０は、例えば居住者等の操作者が、遠隔入力手段３４を介して入力した指示に基づいて、渡り配線５又は接続配線６を介して接続された空気調和機２に空調機制御指令データを含む信号を送信する。さらに空気調和機２の空調機制御処理手段２０は、集中制御装置１にその空調機制御指令データを含む信号を送信する。
【００５９】
集中制御装置１の集中制御処理手段１０は、空調機制御指令データに基づいて、ある遠隔制御器３の操作指令等に基づいて同一制御が行われる空気調和機２の機器アドレスのデータを抽出する。そして、抽出した機器アドレスのデータと集中記憶手段１１にグループ設定のデータとを、前述した比較照合処理のうち、Ｓ１〜Ｓ３の処理を行う。
【００６０】
ここで、グループ設定のデータに機器アドレスのデータの不足があった場合（同一グループとされていない空気調和機２がある場合）には、集中制御処理手段１０は表示信号を送信し、不足に係る空気調和機２の機器アドレスを集中表示手段１３に表示させる。そして、同じグループとして、操作指令に基づく同一の制御を不足に係る空気調和機２に対して実行するかどうかを選択させるようにする。同一制御を行う旨を操作者等が選択したと判断すると、その機器アドレスのデータをグループ番号、遠隔制御器３の機器アドレスのデータと関連付けて集中記憶手段１１に記憶する。そして、集中制御処理手段１０はその空気調和機２に対して、伝送線４を介して空調機制御指令データを含む信号を送信する。信号を受信した空気調和機２の空調機制御処理手段２０は、その空調機制御指令データに基づいて空調動作に係る処理を行う。以後は、グループ設定のデータに同じグループとして記憶されているので、比較照合処理を行うことなく、空気調和機２に対して、伝送線４を介して空調機制御指令データを含む信号が送信される。
【００６１】
ここで、渡り配線５と接続されていない空気調和機２について、同一の操作指令等に基づく制御を行うように、集中入力手段１４によりあらかじめ手動による入力設定で集中記憶手段１１に記憶したグループ設定のデータを変更することもできる。
【００６２】
以上のように、実施の形態５によれば、遠隔制御器３と空気調和機２とが直接渡り配線５で接続されていなくても、集中制御装置１におけるグループ設定に基づいて、集中制御装置１を介して空調機制御指令データを含む信号を送信することにより、例えば操作指令に基づく動作を行うことができる。そのため、例えば、空気調和機２を増やした場合、間仕切り変更があった場合等があっても、新たな渡り配線５を配線しなくてもよく、工事等を行わず、簡単にグループによる制御を行うことができる。
【産業上の利用可能性】
【００６３】
上述した実施の形態では、空気調和装置への適用について説明したが、本発明は、冷暖房切換運転が可能な他の空気調和装置についても適用することができる。また、例えばヒートポンプ装置等、冷媒回路を構成する他の冷凍サイクル装置にも適用することができる。また、電気照明等、他の設備にも適用することができる。
【図面の簡単な説明】
【００６４】
【図１】空気調和装置の集中制御システムの構成を示す図である。
【図２】集中制御装置１の構成例を表す図である。
【図３】集中制御装置１の外観例を表す図である。
【図４】空気調和機２の構成例を表す図である。
【図５】遠隔制御器（リモートコントローラ）３の構成例を表す図である。
【図６】実施の形態１に係る処理の流れを表すシーケンス図である。
【図７】空気調和機２、遠隔制御器３の機器アドレス等の関係を表す図である。
【図８】集中制御処理手段１０が行う比較照合処理のフローチャートを表す図である。
【図９】本発明の実施の形態２に係る自動登録処理のフローチャートを表す図である。
【図１０】遠隔制御器３の機器アドレス、グループ番号等の関係を表す図である。
【図１１】実施の形態３における処理の流れを表すシーケンス図である。
【図１２】実施の形態４における処理の流れを表すシーケンス図である。
【図１３】実施の形態５における処理の流れを表すシーケンス図である。
【符号の説明】
【００６５】
１  集中制御装置、２Ａ〜２Ｆ  空気調和機、３  遠隔制御器、４  伝送線、５Ａ，５Ｂ  渡り配線、６  接続配線、１０  集中制御処理手段、１０Ａ  比較照合処理部、１１  集中記憶手段、１２  集中通信手段、１３  集中表示手段、１４  集中入力手段、１４Ａ  キー入力部、２０  空調機制御処理手段、２１  空調機記憶手段、２２  空調機通信手段、２２Ａ  遠隔制御器側通信部、２２Ｂ  集中制御装置側通信部、２３  空調機熱交換器、２４  空調機ファン、２５  空調機膨張弁、３０  遠隔制御処理手段、３１  遠隔記憶手段、３２  遠隔通信手段、３３  遠隔表示手段、３４  遠隔入力手段。
【図１】
2009097829.tif 000003
【図２】
2009097829.tif 000004
【図３】
2009097829.tif 000005
【図４】
2009097829.tif 000006
【図５】
2009097829.tif 000007
【図６】
2009097829.tif 000008
【図７】
2009097829.tif 000009
【図８】
2009097829.tif 000010
【図９】
2009097829.tif 000011
【図１０】
2009097829.tif 000012
【図１１】
2009097829.tif 000013
【図１２】
2009097829.tif 000014
【図１３】
2009097829.tif 000015